(57)【要約】  帽子用アイロン装置を提供する。本発明は、下部に開口部が形成されている中空の球状伝導体、球状伝導体の下部に設けられ、球状伝導体を底板から離間した状態で支持する支持台、及び球状伝導体の下部に形成されている開口部の下部に設けられ、球状伝導体の内部空間に熱風を垂直に供給する熱風供給機を具える。本発明によれば、帽子を迅速に、且つ経済的にアイロンがけを行うことで帽子の商品性を高めることができるようになる。同時に、本発明によれば、使用者は帽子のアイロンがけ作業中に帽子に伝達された熱を足で調節すると共に、両手を自由に用いることで帽子のアイロンがけ品質を向上することができるようになる。
2016529408.tif 000002
【特許請求の範囲】
【請求項１】
下部に開口部が形成されている中空の球状伝導体（１１０）と、
前記球状伝導体（１１０）の下部に設けられ、前記球状伝導体（１１０）を底板から離間した状態で支持する支持台と、及び、
前記球状伝導体（１１０）の下部に形成されている前記開口部の下部に設けられ、前記球状伝導体（１１０）の内部空間に熱風を垂直に供給する熱風供給機（１３０）と、を含む帽子用アイロン装置。
【請求項２】
前記球状伝導体（１１０）は前記熱風により加熱される請求項１に記載の帽子用アイロン装置。
【請求項３】
使用者が前記球状伝導体（１１０）に被せられた帽子を両手で押圧する際に前記使用者が前記熱風供給機（１３０）の駆動を足で制御するように、前記熱風供給機（１３０）に電気的に連結されて地面に設けられる制御ペダル（１５０）を更に含む請求項１に記載の帽子用アイロン装置。
【請求項４】
前記球状伝導体（１１０）に被せられた帽子のつばを支持するつば支持台（１４５）を更に含む請求項１に記載の帽子用アイロン装置。
【発明の詳細な説明】
【技術分野】
【０００１】
本発明は帽子用アイロン装置に関するもので、より詳細には、帽子を迅速に、且つ経済的にアイロンがけを行うことで帽子の商品性を高めることができるだけでなく、使用者が帽子のアイロンがけ作業中に帽子に伝達された熱を足で調節すると共に、両手を自由に使用することで帽子のアイロンがけ品質を向上させることができるようにする帽子用アイロン装置に関するものである。
【背景技術】
【０００２】
最近、ブランドの中古衣類販売市場が急速に増大しており、このような ブランドの中古衣類の中でも帽子は人気商品として取り引きが頻繁に行われている。
【０００３】
しかし、帽子を長期間使用する場合には、その形態が損傷され、しわくちゃになることで旧製品の衣類市場に流通する帽子は大部分、その商品性が高く認められなくなる問題がある。
【０００４】
従って、このように旧製品の衣類としての帽子商品は、再販売する前にアイロンがけなどの補修作業が必須である。しかし、従来には帽子商品に対して迅速に、且つ経済的にアイロンがけを行うことができるようにする装置が開発されていない状況である。
【発明の概要】
【発明が解決しようとする課題】
【０００５】
従って、本発明の目的は、帽子を迅速に、且つ経済的にアイロンがけを行うことで帽子の商品性を高めることができるだけでなく、使用者が帽子のアイロンがけ作業中に帽子に伝達された熱を足で調節すると共に、両手を自由に使用することで帽子のアイロンがけ品質を向上させることができるようにする帽子用アイロン装置を提供するにある。
【課題を解決するための手段】
【０００６】
前述の目的を達成するための本発明に係る帽子用アイロン装置は、下部に開口部が形成されている中空の球状伝導体１１０；前記球状伝導体１１０の下部に設けられ、前記球状伝導体１１０を底板から離間した状態で支持する支持台；及び前記球状伝導体１１０の下部に形成されている前記開口部の下部に設けられ、前記球状伝導体１１０の内部空間に熱風を垂直に供給する熱風供給機１３０；を含む。
【０００７】
好ましくは、前記球状伝導体１１０の下部に設けられ、前記熱風供給機１３０から垂直に供給される前記熱風の分散を防止する熱風誘導管１４０を更に含む。
【０００８】
また、前記球状伝導体１１０は前記熱風により加熱されることを特徴とする。
【０００９】
また、使用者が前記球状伝導体１１０に被せられた帽子を両手で押圧する際に前記使用者が前記熱風供給機１３０の駆動を足で制御するように、前記熱風供給機１３０に電気的に連結されて地面に設けられる制御ペダル１５０を更に含む。
【００１０】
また、前記球状伝導体１１０に被せられた帽子のつばを支持するつば支持台１４５を更に含む。
【発明の効果】
【００１１】
本発明によれば、帽子を迅速に、且つ経済的にアイロンがけを行うことで帽子の商品性を高めることができるようになる。
【００１２】
同時に、本発明によれば、使用者は帽子のアイロンがけ作業中に帽子に伝達された熱を足で調節すると共に、両手を自由に使用することで帽子のアイロンがけ品質を向上させることができるようになる。
【図面の簡単な説明】
【００１３】
【図１】本発明の一実施形態に係る帽子用アイロン装置の構造を示す図面である。
【図２】図１の帽子用アイロン装置に備えられた熱風供給機の構造を示す図面である。
【図３】図１の帽子用アイロン装置の使用状態を示す図面である。
【発明を実施するための形態】
【００１４】
以下、添付図面を参照して本発明の実施形態をより詳細に説明する。図面において、明細書全体を通して同一または類似する構成要素については同一の参照符号を付し、その重複説明や本発明の要旨を不明にする公知の機能及び構成についての詳細な説明は適宜省略する。
【００１５】
図１は本発明の一実施形態に係る帽子用アイロン装置の構造を示す図面である。図１を参照すれば、本発明の一実施形態に係る帽子用アイロン装置１００は、球状伝導体１１０、支持台１２１、１２２、熱風供給機１３０、熱風誘導管１４０、制御ペダル（ｐｅｄａｌ）１５０、及び底板１６１、１６２を含む。
【００１６】
球状伝導体１１０はアルミニウム、ステンレス鋼などの熱伝導性が高い金属材料 で製作され、中空の球状構造を有している。一方、使用者は球状伝導体１１０に帽子１０を、図３に示すように着用させた状態で、球状伝導体１１０の下部に形成された開口部の下方に設けられた熱風供給機１３０を通じて熱風を供給するようになる。
【００１７】
それによって、図２に示すように熱風供給機１３０を通じて上方に吐出される熱風は球状伝導体１１０の内部に流入して球状伝導体１１０を加熱するようになり、球状伝導体１１０の加熱された表面に密着固定された椅子は、しわが伸びてアイロンがけが行われるようになる。
【００１８】
一方、図２に示す熱風供給機１３０においては、使用者が手で握った状態でその設置位置を調整するか、または帽子用アイロン装置１００から修理などのために分離しやすいように取っ手１３１が備えられており、外部電源から供給される電流により加熱される電熱コイルをその内部に備えた状態で、熱風出口１３３を通じて熱風を吐出させる機能をする。
【００１９】
一方、本発明に係る帽子用アイロン装置１００は球状伝導体１１０の下部に設けられて、球状伝導体１１０を第１底板１６１から離間した状態で支持する上部支持台１２１を備えており、複数の上部支持台１２１が上部面に設けられている第１底板１６１は下部支持台１２２により底面に当接して設けられる第２底板１６２から離間した状態で支持される。
【００２０】
一方、第２底板１６２から所定の高さに離間して設けられている第１底板１６１に熱風供給機１３０が設けられているので、使用者は帽子用アイロン装置１００に連設された椅子（不図示）に座った状態で、熱風供給機１３０の設置位置の調整などの作業を便利に行うことができるようになる。
【００２１】
同時に、球状伝導体１１０の下部に設けられた熱風供給機１３０から垂直に供給される熱風が球状伝導体１１０の下部の開口部に流入せず、周りに分散することを防止するため、図１に示すように球状伝導体１１０の開口部の周りには円筒状の熱風誘導管１４０を溶接で設けることが好ましく、熱風誘導管１４０の周りに複数の上部支持台１２１を溶接でも設けることが好ましい。
【００２２】
一方、熱風誘導管１４０は熱風供給機１３０から垂直に供給される熱風が外部に分散することを防止する機能を行うだけであり、帽子１０をアイロンがけを行う機能は行わないので、熱風による熱が不要に熱風誘導管１４０に伝達されないように、本発明を実施するに当たって、熱風誘導管１４０は熱伝導がが低い金属材料または断熱性材料で製作することが好ましい。
【００２３】
一方、熱風誘導管１４０の側面には図１に示すように球状伝導体１１０に被せられた帽子１０のつば１５を支持する機能を行うつば支持台１４５が設けられることが好ましい。
【００２４】
すなわち、つば支持台１４５が設けられることによって、図３に示すように球状伝導体１１０に被せられた帽子１０のつば１５を水平に支持すると共に、帽子１０のつば１５で最も凹になった部分である中央部分をつば支持台１４５により支持する。それによって、帽子１０が球状伝導体１１０に被せられた状態で、前後左右のいずれか方向に傾かないで、球状伝導体１１０に正確な角度で被せられるようになる。
【００２５】
図３に示すように帽子１０が球状伝導体１１０に正確な角度で被せられた状態でアイロンがけが行われるので、帽子１０のアイロンがけ状態は使用者が帽子１０を正確に着した状態での形象と同様にアイロンがけを行うことができるようになる。
【００２６】
一方、帽子１０のつば１５がつば支持台１４５によりその中央部分が支持された状態で、帽子１０が左右に傾くことを防止するために、つば支持台１４５は図１とように所定の幅を有する支持面によって帽子１０のつば１５を支持するように製作することが好ましい。
【００２７】
一方、つば支持台１４５により使用者の手がやけどをすることなどを防止するために、つば支持台１４５は熱伝導度が低い金属材料で製作するか、または断熱性材料で製作することが好ましい。
【００２８】
同時に、つば支持台１４５によって帽子１０の球状伝導体１１０への結合が邪魔を受けないように、つば支持台１４５は球状伝導体１１０の下部に設けられた熱風誘導管１４０に結合して設けることが好ましく、更に好ましくは熱風誘導管１４０に隣接した部分でつば支持台１４５が帽子１０の球状伝導体１１０への被せられるに邪魔にならないように、図１に示すように熱風誘導管１４０に隣接した部分でつば支持台１４５を「Ｌ」状に折曲（第１折曲部）した状態で、熱風誘導管１４０に付着させ、熱風誘導管１４０から所定の長さ（約５ないし１０ｃｍ）で離間した位置で上方に折曲（第２折曲部）し、第２折曲部から所定の長さ（約３ないし５ｃｍ）で離間した位置で再び水平方向に折曲（第３折曲部）することで、つば支持台１４５を製作することが好ましい。
【００２９】
一方、熱風供給機１３０は電線を通じて外部電源の供給を受けて駆動するようになり、熱風供給機１３０の駆動は、図１に示すように熱風供給機１３０に外部電源を供給する電線に設けられた制御ペダル１５０により制御する。
【００３０】
具体的には、使用者が制御ペダル１５０に足を乗せた状態で制御ペダル１５０を 踏むと、熱風供給機１３０が駆動されて熱風を上方に吐出するようになり、使用者が制御ペダル１５０から足を離すと、熱風供給機１３０の駆動は停止する。
【００３１】
一方、使用者が制御ペダル１５０に足を乗せた状態で漸次的に力を加えて、制御ペダル１５０の踏量を増加させる場合には熱風供給機１３０の駆動出力が次第に増加することで、使用者は帽子１０のアイロンがけ状態、及び帽子１０の布材質などの作業環境によって制御ペダル１５０を通じて熱風駆動機の出力を調節できるようになる。
【００３２】
このように、本発明においては熱風供給機１３０の駆動が制御ペダル１５０を通じて制御されるように実現することで、使用者は相対的に両手を自由に動かすことができるので、図３に示すように両手を用いて帽子１０を球状伝導体１１０に密着されるように押圧した状態で、両手で押圧した部位を自由に調節しながら、足では熱風駆動機の駆動及び駆動出力を制御すると共に、最上のアイロンがけ品質が得られるようになる。
【００３３】
以上では本発明の好ましい実施形態及び応用例について図示及び説明したが、本発明は前述した特定の実施形態及び応用例に限定されず、請求範囲で請求する本発明の要旨を逸脱することなく当該発明が属する技術分野で通常の知識を有する者により多様な変形実施が可能であることは勿論であり、このような変形実施は本発明の技術的思想や展望から個別的に理解されてはならない。
【産業上の利用可能性】
【００３４】
本発明は洗濯関連産業分野における産業上の利用可能性が認められる。
【図１】
2016529408.tif 000003
【図２】
2016529408.tif 000004
【図３】
2016529408.tif 000005
【国際調査報告】
2016529408.tif 000006
2016529408.tif 000007
2016529408.tif 000008
2016529408.tif 000009